(57)【要約】【課題】  旅費情報付き電子アルバムの作成システムを提供する。【解決手段】  システムは、時刻を対応付けたユーザの位置情報および撮像時刻を対応付けた複数の画像データを取得する取得部と、ユーザ位置情報に基づいてユーザが移動した経路に関する移動経路データを作成する移動経路作成部３２と、画像データと移動経路データに基づいて、画像データを対応付けた移動経路データを含む電子アルバムを作成する電子アルバム作成部３４と、移動経路データおよび交通網に関する情報を含む地図データに基づいて、旅行時に利用した移動手段の種類および利用区間を特定する移動手段・利用区間特定部４０と、特定された移動手段の種類および利用区間並びに交通料金データに基づいて交通費を算出する交通費算出部４２と、交通費算出部で算出した交通費に基づいて交通費データを作成する交通費データ作成部４６と、を備える。【選択図】図４
2006163664.tif 000002
【特許請求の範囲】
【請求項１】
旅費情報付き電子アルバムを作成するためのシステムにおいて、
時刻を対応付けたユーザの位置情報、並びに、撮像時刻または撮像位置を対応付けた複数の画像データを取得する取得部と、
取得部で取得した位置情報に基づいてユーザが移動した経路に関する移動経路データを作成する移動経路作成部と、
取得部で取得した画像データと移動経路作成部で作成した移動経路データに基づいて、画像データを対応付けた移動経路データを含む電子アルバムを作成する電子アルバム作成部と、
交通網に関する情報を含む地図データを記憶する地図データベースと、
移動経路作成部で作成した移動経路データおよび地図データベースに記憶された地図データに基づいて、旅行時に利用した移動手段の種類および利用区間を特定する移動手段・利用区間特定部と、
交通料金を記憶する交通料金データベースと、
移動手段・利用区間特定部により特定された移動手段の種類および利用区間並びに交通料金データベースに記憶された交通料金データに基づいて交通費を算出する交通費算出部と、
交通費算出部で算出した交通費に基づいて交通費データを作成する交通費データ作成部と、
を備えた旅費情報付き電子アルバム作成システム。
【請求項２】
旅費情報付き電子アルバムを作成するためのシステムにおいて、
時刻を対応付けたユーザの位置情報、並びに、撮像時刻または撮像位置を対応付けた複数の画像データを取得する取得部と、
取得部で取得した位置情報に基づいてユーザが移動した経路に関する移動経路データを作成する移動経路作成部と、
取得部で取得した画像データと移動経路作成部で作成した移動経路データに基づいて、画像データを対応付けた移動経路データを含む電子アルバムを作成する電子アルバム作成部と、
交通網に関する情報を含む地図データを記憶する地図データベースと、
移動経路作成部で作成した移動経路データおよび地図データベースに記憶された地図データに基づいて、旅行時に利用した移動手段の種類および利用区間を特定する移動手段・利用区間特定部と、
移動手段・利用区間特定部により特定された移動手段の種類および利用区間を提示する提示部と、
提示部に提示させた移動手段の種類および利用区間に対応する交通費を入力させるようにした入力部と、
を備えた旅費情報付き電子アルバム作成システム。
【請求項３】
取得部はさらに、一つまたはそれ以上の第２の画像データを取得し、
各第２の画像データに撮像時刻および撮像位置の少なくとも一方が対応付けられているか否かを判定する対応付け判定部を備え、
表示部は、対応付け判定部により撮像時刻および撮像位置ともに対応付けられていないと判定された第２の画像データに対応する画像を表示するとともに、入力部は、撮像時刻および撮像位置ともに対応付けられていない第２の画像データの撮像時刻および撮像位置の少なくとも一方を入力させるようにしてあり、
システムは、入力部を介して入力させた撮像時刻および撮像位置の少なくとも一方に基づいて、撮像時刻および撮像位置ともに対応付けられていない第２の画像データと入力部を介して入力された撮像時刻および撮像位置の少なくとも一方との対応関係を記憶する対応関係記憶部をさらに備え、
電子アルバム作成部は、取得部で取得した画像データおよび移動経路作成部で作成した移動経路データに加えて、取得部で取得した第２の画像データと対応関係記憶部に記憶された対応関係とに基づいて、電子アルバムを作成することを特徴とする請求項１または２に記載の電子アルバム作成システム。
【請求項４】
入力部は、ユーザの人数および／または種類に関連するユーザ情報を入力させるようにしてあり、
交通費算出部は、移動手段・利用区間特定部により特定された移動手段および利用区間並びに交通料金データベースに記憶された交通料金データに加えて、入力部を介して入力させたユーザ情報に基づいて、交通費を算出することを特徴とする請求項１に記載の旅費情報付き電子アルバム作成システム。
【請求項５】
移動経路作成部により作成された移動経路データまたは取得部で取得した位置情報に基づいて、ユーザが所定の大きさを有する領域内に所定の期間とどまっていたか否かを判定し、これによりユーザが上記領域に対応する施設を利用したか否かを判定する施設利用判定部をさらに備え、
入力部は、施設利用判定部によりユーザが施設を利用したと判定した場合に、施設利用費を入力させるようにしてあり、
システムはさらに、入力部を介して入力された施設利用費に基づいて施設利用費データを作成する施設利用費データ作成部を備えることを特徴とする請求項１〜４のいずれか一つに記載の旅費情報付き電子アルバムシステム。
【発明の詳細な説明】
【技術分野】
【０００１】
本発明は、複数の画像データに基づいて電子アルバムを作成するためのシステムに関する。本発明は特に、ユーザが画像データを撮像しながら旅行をした場合に各画像データを移動経路上の位置に対応付けた電子アルバムを作成するシステムに関する。
【背景技術】
【０００２】
従来、ユーザが旅行（例えば、ドライブ旅行など）の途中に撮像した画像データを移動経路（旅行経路）上の位置に対応付けてなる電子アルバムを作成するためのシステムが種々提案されている。こうしたシステムとして、デジタルカメラなどで撮像した画像データとユーザが通った移動経路とともに入力させ、移動経路を表示させたモニタを電子アルバム作成者が参照しながら移動経路上の位置と各画像データを対応付けるようにしたものが知られている。
【０００３】
ところで、ユーザにとって、旅行中に撮像した画像データを電子アルバムとして保存することに加えて、旅行に付随して発生した費用を知ることはきわめて重要である。旅費を算出するには、交通費（電車運賃、高速料金など）や宿泊費などをユーザが旅行中に記録しておくか旅行後に思い出す必要があり、ユーザにとって非常に煩わしいものである。
【０００４】
なお、特許文献１には、ユーザの位置を特定する機能を備えた携帯端末をユーザに携帯させ、ユーザの位置を適宜記録することによりユーザの移動経路を算出し、移動経路に基づいて移動手段を特定し、該移動手段に基づいて運賃を算出する旅費清算装置が開示されている。例えば、位置情報と地図情報とを連携させて移動経路が駅や鉄道路線上を通っている場合には移動手段は電車であると判断し、電車運賃を算出する。また、携帯端末は、宿泊費などを手入力できるようにした表示部を備えている。
【特許文献１】特開２００２−１９７２４３号公報
【発明の開示】
【発明が解決しようとする課題】
【０００５】
そこで、本発明は、電子アルバムを作成する機能に加えて旅費の算出を行う機能を備え、これによりユーザの利便性をさらに向上させた電子アルバム作成システムを提供することを目的とする。
【課題を解決するための手段】
【０００６】
上記目的を達成するために、本発明に係る電子アルバム作成システムの第１の態様は、
旅費情報付き電子アルバムを作成するためのシステムにおいて、
時刻を対応付けたユーザの位置情報、並びに、撮像時刻または撮像位置を対応付けた複数の画像データを取得する取得部と、
取得部で取得した位置情報に基づいてユーザが移動した経路に関する移動経路データを作成する移動経路作成部と、
取得部で取得した画像データと移動経路作成部で作成した移動経路データに基づいて、画像データを対応付けた移動経路データを含む電子アルバムを作成する電子アルバム作成部と、
交通網に関する情報を含む地図データを記憶する地図データベースと、
移動経路作成部で作成した移動経路データおよび地図データベースに記憶された地図データに基づいて、旅行時に利用した移動手段の種類および利用区間を特定する移動手段・利用区間特定部と、
交通料金を記憶する交通料金データベースと、
移動手段・利用区間特定部により特定された移動手段の種類および利用区間並びに交通料金データベースに記憶された交通料金データに基づいて交通費を算出する交通費算出部と、
交通費算出部で算出した交通費に基づいて交通費データを作成する交通費データ作成部と、
を備えることを特徴とする。
【０００７】
本発明に係る電子アルバム作成システムの第２の態様は、
旅費情報付き電子アルバムを作成するためのシステムにおいて、
時刻を対応付けたユーザの位置情報、並びに、撮像時刻または撮像位置を対応付けた複数の画像データを取得する取得部と、
取得部で取得した位置情報に基づいてユーザが移動した経路に関する移動経路データを作成する移動経路作成部と、
取得部で取得した画像データと移動経路作成部で作成した移動経路データに基づいて、画像データを対応付けた移動経路データを含む電子アルバムを作成する電子アルバム作成部と、
交通網に関する情報を含む地図データを記憶する地図データベースと、
移動経路作成部で作成した移動経路データおよび地図データベースに記憶された地図データに基づいて、旅行時に利用した移動手段の種類および利用区間を特定する移動手段・利用区間特定部と、
移動手段・利用区間特定部により特定された移動手段の種類および利用区間を提示する提示部と、
提示部に提示させた移動手段の種類および利用区間に対応する交通費を入力させるようにした入力部と、
を備えることを特徴とする。
【発明の効果】
【０００８】
本発明に係る第１の態様によれば、時刻を対応付けたユーザの位置情報に基づいて移動経路データを作成する。そして、移動経路データと、撮像時刻または撮像位置を対応付けた画像データとに基づいて、移動経路データと画像データを対応付けた電子アルバムを作成する。これに加えて、移動経路データに基づいてユーザが利用した移動手段の種類および利用区間を特定し、移動に伴う交通費を算出する。そして、算出した交通費に基づいて交通費データを作成する。したがって、電子アルバムとともに旅行に付随して発生した交通費の情報をユーザに提供できる。
【０００９】
本発明に係る第２の態様によれば、第１の態様と同様に電子アルバムを作成するとともに、ユーザ（旅行者）が利用した移動手段の種類および利用区間を特定する。そして、移動手段の種類および利用区間を提示（例えば、表示）し、対応する交通費を入力部を介して電子アルバム作成者（通常、旅行者本人）に入力させる。したがって、ユーザ（旅行者）は電子アルバムを得ると同時に発生した交通費の情報を簡単に得ることができる。
【発明を実施するための最良の形態】
【００１０】
以下、添付図面を参照して本発明の実施の形態を説明する。本発明は私的な旅行に好適に利用されるが、出張、研修旅行など公的な旅行にも利用可能である。
【００１１】
実施の形態１
図１を参照して、本発明に係る実施の形態１である電子アルバム作成システム２は、ユーザ（旅行者）が携帯した携帯端末４で撮像した画像データに基づいて電子アルバムを作成するためのものである。
【００１２】
図２に示すように、携帯端末４は、全体を制御する制御部６と、画像データを撮像するための撮像部８と、ボタンなどを有し撮像者の撮像指令を受け付けるための入力部１０とを備える。制御部６は、入力部１０からの撮像指令を表す信号を受けて撮像部８に制御信号を送出し、撮像部は静止画像データおよび／または動画像データを撮像するようにしてある。画像データは記憶部１２に記憶されるようにしてある。制御部６には、現在時刻の情報を送出するクロック１４が接続され、これにより記憶部１２には、画像データが撮像時刻と対応付けて記憶される。記憶部１２は、携帯端末から取り外し可能な記録メディア（例えば、フラッシュメモリ）から構成され、ドライブ装置１５によりデータが記録されるようにしてある。
【００１３】
制御部６には、携帯端末４の位置情報を取得するための位置情報取得部１６が接続されている。位置情報取得部１６には無線受信部１８が接続されている。受信部１８は、受信アンテナ、増幅器、ミキサ、復調器、復号化回路などから構成されており、ＧＰＳ衛星、準天頂衛星、擬似衛星などの位置情報提供装置が送信する位置情報を受信するためのものである。位置情報取得部１６は、受信部１８で受信した位置情報に基づいて携帯端末４の位置を検出するようになっている。携帯端末４の位置情報は、旅行者（ユーザ）の位置情報として用いられる。位置情報取得部１６は、クロック１４から送出される現在時刻情報に基づいて、適当な時間間隔で旅行者位置情報を制御部６に送出するようになっている。制御部６は、クロック１４から送出される現在時刻情報に基づいて、位置情報取得部１６からの旅行者位置情報を時刻に対応付けて記憶部１２に記憶するようにしてある。
【００１４】
携帯端末４は、例えば、ＧＰＳ機能を備えた、デジタルカメラやカメラ付き携帯電話である。
【００１５】
電子アルバム作成システム２は、電子アルバム作成を行う者との対話処理によって電子アルバムを作成するためのコンピュータで、図３に示すように、システム全体を制御する制御部２０と、複数の挿入口を有し挿入口の一つに挿入された記録メディア１２に記録された画像データおよび旅行者位置情報を読み出すためのドライブ装置２２と、キーボード、マウスなどを有しシステム２を用いて電子アルバム作成者からの各種指令を受け付けるための入力部２４と、各種情報を表示するためのモニタ（表示部）２６とを備える。モニタ２６の表示画面上にタッチパネルを設け、これを入力部２４としてもよい。本実施形態において、旅費情報付き電子アルバムの作成者は、通常、旅行者（ユーザ）本人であるが、別の人でもよい。
【００１６】
制御部２０のブロック図である図４を参照して、制御部は、所定の表示画面を表示させるようにモニタ２６を制御するための表示制御部２８を有する。表示制御部２８は、ドライブ装置２２に記録メディア１２が挿入された状態で、アルバム作成者から所定の指令を入力部２４が受け付けると、図５（ａ）に示すように、アルバム作成者に電子アルバムを作成するための「アルバム作成モード」と旅費を算出するための「旅費算出モード」のいずれかを選択させるメニュー画面を表示させるようにしてある。
【００１７】
アルバム作成者が入力部２４を介して「アルバム作成モード」を選択すると、制御部２０は以下に示すように、旅行者の移動経路（旅行経路）上の位置と画像データを対応付けた電子アルバムの作成を行う。作成した電子アルバムのデータは、ドライブ装置２２によりドライブ装置の挿入口に挿入された記録メディア３０に記録されるようにしてある。
【００１８】
制御部２０は、記録メディア１２に記憶された（ドライブ装置２２で取得した）時刻を対応付けた旅行者位置情報（端末位置情報）に基づいて旅行者の移動経路に関するデータを作成する移動経路作成部３２を備える。移動経路データは、所定の時間間隔で得られた各旅行者位置（携帯端末４の位置）（経度および緯度などの座標）および時刻と、旅行者位置の時系列的情報とを有する。時系列的情報は、例えば、ある旅行者位置（座標）から時系列的に次に古い旅行者位置（座標）までのベクトルとして表される。移動経路データは、移動経路記憶部３３（図３）に記憶されるようにしてある。
【００１９】
制御部２０はまた、移動経路記憶部３３に記憶された移動経路データおよび記録メディア１２に記憶された（ドライブ装置２２で取得した）画像データに基づいて、移動経路データと画像データを対応付けた電子アルバムを作成するための作成部３４を備える。電子アルバム作成部３４は、移動経路データの各旅行者位置（座標）および時刻並びに旅行者位置の時系列的情報と、撮像時刻が対応付けられた画像データとに基づいて、移動経路データと画像データを対応付けた電子アルバムを作成する。撮像時刻がある旅行者位置の時刻とほぼ一致していれば、該旅行者位置（座標）と画像データを対応付ける（その結果、画像データと移動経路データが対応付けられる。）。撮像時刻ｔ０が旅行者位置の時刻と異なる場合、撮像時刻ｔ０の前の旅行者位置ｐ１の時刻ｔ１と後の旅行者位置ｐ２の時刻ｔ２を用いて、移動経路データと画像データを対応付ける。例えば、位置ｐ１から位置ｐ２まで旅行者が一定速度で直線移動したと見なし、位置ｐ１と位置ｐ２を結ぶ線分を（ｔ０―ｔ１）：（ｔ２―ｔ０）に分けた位置を画像データと対応付ける（その結果、画像データと移動経路データが対応付けられる。）。
【００２０】
電子アルバム作成部３４により作成される電子アルバムは、旅行者本人などがパーソナルコンピュータなどに記録メディア３０をセットしモニタで鑑賞することになる。一例として、図６に示すように、モニタの表示画面には、移動経路Ｒとともに移動経路上にシンボル（例えば人）Ｖが表示され、シンボルが移動経路上を移動しながら移動経路上の画像データが対応付けられたある位置に到達すると、対応する画像がモニタに表示され、予め設定された再生時間が経過すると、シンボルＶが再び移動経路Ｒ上を走行し、画像データが対応付けられた次の位置に到達すると、対応する画像がモニタに表示される（言い換えれば、アルバムの鑑賞者は、画像を時系列に沿って鑑賞する。）
【００２１】
電子アルバム作成処理が終了すると、表示制御部２８は、「旅費算出モード」を未選択の場合、モニタ２６に図５（ｂ）に示すように「旅費算出モード」を行うか否かをアルバム作成者に選択するための画面を表示させるようにしてある。アルバム作成者が「旅費算出モード」を選択しない場合、表示制御部２８は、終了を表す画面（図示せず）をモニタ２６に表示させるようにしてある。アルバム作成者は、電子アルバムのみが記録された記録メディア３０を受け取ることになる。アルバム作成者が「旅費算出モード」を選択した場合、表示制御部２８は、図５（ｃ）に示すように、旅行に参加した大人の人数、子供の人数（子供の場合、好ましくは年齢）、車の利用台数（０台、１台など）、など旅行者の人数（車の台数も旅行者の人数に関連する）および／または種類（大人または子供）に関連するユーザ情報を入力するための画面をモニタ２６に表示させるようにしてある。入力部２４を介してアルバム作成者に入力させた情報は、ユーザ情報記憶部３６（図３）に記憶されるようにしてある。
【００２２】
図３に示すように、制御部２０には、高速道路や交通機関の経路情報、高速道路のＩＣや交通機関の駅の位置情報などの交通網に関する情報を含む地図データを記憶する地図データベース３８が接続されている。図４に示すように、制御部２０は、移動経路記憶部３３に記憶された移動経路データおよび地図データベース３８に記憶された地図データに基づいて、旅行者が旅行中に利用した移動手段の種類（例えば、バス、地下鉄とその路線）および移動手段を利用した区間を特定するための移動手段・利用区間特定部４０を備える。移動手段・利用区間特定部４０は、移動経路データを地図データの交通網情報と照合することで旅行者が例えば高速道路を利用したことおよび利用区間を特定する。なお、図５（ａ）の画面で「旅費算出モード」を選択した場合、記憶部３３には移動経路データが記憶されていないため、旅費算出モードにおいて移動経路作成部３２により移動経路データが作成されるようにしてある。
【００２３】
制御部２０はまた、移動手段・利用区間特定部４０で特定した移動経路上の各移動手段の種類および対応する利用区間の移動に伴う交通費を算出するための交通費算出部４２を備える。交通費を算出する目的で、図３に示すように、制御部２０には、交通機関の運賃や高速料金など交通料金を記憶するための交通料金データベース４４が接続されている。交通費算出部４２は、移動手段・利用区間特定部４０で特定した移動手段の種類および利用区間並びにユーザ情報記憶部３６に記憶されたユーザ情報（例えば、大人、子供の人数）に基づいて、交通料金データベース４４に記憶された交通料金を参照して旅行中に発生した交通費を算出するようにしてある。例えば、大人２人、（子供料金を支払うべき）子供１人が旅行したとして、移動手段特定部４０が移動経路記憶部３３に記憶された移動経路データおよび地図データベース３８に記憶された地図データに基づいて例えば京都の出町柳駅から大阪の淀屋橋駅まで京阪電車を利用したと特定する。交通費算出部４２は、交通料金データベース４４を参照して該当する区間の運賃が大人１人４６０円、子供１人２３０円として該区間の移動にかかった交通費を１１５０円と算出する。また、車で旅行した場合、移動手段特定部４０が移動経路記憶部３３に記憶された移動経路データおよび地図データベース３８に記憶された地図データに基づいて例えば和歌山ＩＣから松原ＩＣまで阪和高速を利用したと特定する。交通費算出部４２は、交通料金データベース４４を参照して該当する区間の高速料金１６００円に台数分掛けた料金を該区間の移動にかかった交通費として算出する。同じ道路に料金体系の異なる複数のバスの路線が存在する場合を考慮して、地図データベース３８に各路線の時刻表のデータを含ませ、これにより、移動手段・利用区間特定部４０は、移動経路データに含まれる時刻情報を参照することでバスの路線を特定できるようにしてもよい。
【００２４】
制御部２０はさらに、交通費算出部４２で算出した交通費に基づいて交通費データ（例えば、交通費の総額および内訳）を作成するための交通費データ作成部４６を備える。交通費データは、電子アルバムデータとともに、ドライブ装置２２により記録メディア３０に記録されるようにしてある。
【００２５】
旅費算出処理が終了すると、表示制御部２８は、「アルバム作成モード」を選択済みの場合、モニタ２６に終了画面（図示せず）を表示させるようにしてある。「アルバム作成モード」を未選択の場合、表示制御部２８は、モニタ２６に図５（ｄ）に示すように「アルバム作成モード」を行うか否かをアルバム作成者に選択するための画面を表示させるようにしてある（アルバム作成者は通常、アルバム作成モードを選択することになる。）。
【００２６】
かかる構成を備えた電子アルバム作成システム２の旅費付き電子アルバム作成処理の一例を説明する。まず、図５（ａ）の画面で「アルバム作成モード」が選択された場合、まず、移動経路作成部３２は、ドライブ装置２２により記録メディア１２から読み出された、旅行者の時刻を対応付けた位置情報に基づいて移動経路データを作成する。作成された移動経路データは、移動経路記憶部３３に記憶される。次に、電子アルバム作成部３４は、移動経路記憶部３３に記憶された移動経路データ、および、ドライブ装置２２により読み出された時刻を対応付けた画像データに基づいて、移動経路データと画像データを対応付けた電子アルバムを作成する（以上のように、本実施形態では、ドライブ装置２２は、時刻を対応付けたユーザ（旅行者）の位置情報および撮像時刻を対応付けた複数の画像データを取得する取得部を構成する。）。電子アルバムはドライブ装置２２により記録メディア３０に記録される。
【００２７】
その後、図５（ｂ）の画面で「旅費算出モード」が選択された場合、モニタ２６には図５（ｃ）の画面が表示され、アルバム作成者は入力部２４を介して所定のユーザ情報を入力し、その結果、該情報はユーザ情報記憶部３６に記憶される。
【００２８】
移動手段・利用区間特定部４０は、地図データベース３８に記憶された地図データおよび移動経路記憶部３３に記憶された移動経路データに基づいて、旅行者が利用した一つまたはそれ以上の移動手段の種類および対応する利用区間を特定する。続いて、交通費算出部４２は、移動手段・利用区間特定部４０が特定した移動手段の種類および利用区間、ユーザ情報記憶部３６に記憶されたユーザ情報、並びに交通料金データベース４４に記憶された交通料金データに基づいて、各利用区間で発生した交通費を算出する。交通費データ作成部４６は、交通費算出部４２で算出した交通費に基づいて交通費データを作成する。交通費データはドライブ装置２２により記憶メディア３０に記録される。
【００２９】
このように、本実施形態によれば、ユーザ（旅行者）は、電子アルバムを得るとともに旅行に付随して発生した交通費の情報をきわめて簡単に得ることができる。
【００３０】
交通費算出部４２および交通料金データベース４４を設ける代わりに、移動手段・利用区間特定部４０で特定した移動手段・利用区間に基づいて、表示制御部２８によりモニタ２６に各移動手段の種類および利用区間を表示させ、アルバム作成者に入力部２４を介して交通費を入力させるようにしてもよい。この場合、旅行中に利用した全ての移動手段の種類および対応する利用区間をモニタ２６に一度に表示させるようにしてもよいし、一つの移動手段の種類および利用区間を表示させ、入力が終了すると次に利用した（言い換えれば、時系列的に次に古い）移動手段の種類および利用区間を表示させるようにしてもよい。いずれにしても、本実施形態に比べてアルバム作成者の負担が増えるものの、ユーザ（旅行者）は電子アルバムを得ると同時に発生した交通費の情報を簡単に得ることができる。移動手段の種類および利用区間は、モニタ２６に表示させる代わりに音声など他の提示手段によりアルバム作成者に提示するようにしてもよい。
【００３１】
本実施形態では、電子アルバム作成部３４は、旅行者が携帯する１つの端末４で得られた時刻が対応付けられた画像データと時刻が対応付けられた旅行者位置情報を含む移動経路データに基づいて、画像データと移動経路データを対応付けたが（言い換えれば、時刻を対応付けた旅行者の位置情報を第１の記憶部と、撮像時刻を対応付けた複数の画像データを取得する第２の記憶部を携帯端末４の記録メディア１２で構成する。）、時刻が対応付けられた画像データと時刻が対応付けられた旅行者位置情報を別々の携帯端末で得る（言い換えれば、上記第１および第２の記憶部を個々の携帯端末の記録メディアで構成する。）ようにしてもよい。例えば、画像データを撮像時刻に対応付けて記録するデジタルカメラと、位置情報取得部（例えば、ＧＰＳ信号受信部）およびクロックを備え旅行者位置情報を時刻に対応付けて記録する携帯電話とを用いることができる。この場合、デジタルカメラに取り外し可能に設けた画像データを記憶する記録メディアと携帯電話に取り外し可能に設けた旅行者位置情報を記憶する記録メディアを電子アルバム作成システム２のドライブ装置２２で読み出すようにする。
【００３２】
図２を参照して、携帯端末４側の制御部６に移動経路作成部を設けるとともに、位置情報取得部１６で取得した旅行者位置情報（端末位置情報）を時刻に対応付けて記憶する（記録メディア１２とは別の）記憶部を制御部６に接続し、該記憶部に記憶させた旅行者位置情報に基づいて移動経路データを作成するようにしてもよい。移動経路データは、撮像時刻が対応付けられた画像データとともにドライブ装置１５により記録メディア１２に記録される。この場合、撮像部８、クロック１４、および位置情報取得部１６は、時刻を対応付けた旅行者位置情報および撮像時刻を対応付けた複数の画像データを取得する取得部を構成する。
【００３３】
本実施形態では、撮像時刻が対応付けられた画像データを用いたが、代わりに、撮像位置が対応付けられた画像データを用いてもよい。この場合、ドライブ装置２２は、時刻を対応付けたユーザ（旅行者）の位置情報および撮像位置を対応付けた複数の画像データを取得する取得部を構成する。電子アルバム作成部３４は、時刻が対応付けられた旅行者位置情報を含む移動経路データと、撮像位置が対応付けられた画像データとを対応付ける。
【００３４】
実施の形態２
図７は、本発明に係る電子アルバムシステムの実施の形態２の制御部を示すブロック図である。以下の説明では、実施の形態１と同一または類似の構成要素は、同一の符号または同一の符号に適当な添字を付して表す。制御部２０Ａは、制御部２０（図４）に類似しているが、携帯端末４を携帯した旅行者が所定の期間以上所定の大きさを有する領域内にとどまっていたか否かを判定する判定部５０をさらに備える。判定部５０は、移動経路記憶部３３に記憶された移動経路データ（上述のように、これは、旅行者位置情報および時刻情報を含む）または記録メディア１２に記憶された旅行者位置情報および時刻情報に基づき、所定の期間（例えば１時間、２時間、またはそれ以上）にわたって所定の大きさを有する領域にとどまっていた場合に、該領域に存在する施設を利用したと判定するようにしてある。施設は、例えば、レストラン、宿泊施設、遊園地などである。施設利用判定部５０が旅行者が施設を利用したと判定すると、表示制御部２８Ａは、モニタ２６に施設に関連する情報（例えば施設を利用した時間（所定の領域内にいた時間））とともに施設の利用に伴う料金を入力するよう促す画面を表示するようにしてある。図８は、そのような画面の一例を示す。この例では、旅行中に利用した全ての施設に関連する情報をモニタ２６に一度に表示させているが、一つの施設に関連する情報を表示させ、入力が終了すると次に利用した（言い換えれば、時系列的に次に古い）施設に関連する情報を表示させるようにしてもよい。アルバム作成者（通常は、旅行者本人）は、入力部２４を介して、施設を利用することで発生した料金（例えば、レストランなら食費、宿泊施設なら宿泊費、遊園地なら入場料など）を入力することになる。
【００３５】
制御部２０Ａはまた、入力部２４を介して入力された施設利用費に基づいて旅行に付随して発生した施設利用費に関するデータ（例えば、施設利用費の総計、内訳など）を作成するための施設利用費データ作成部５２を備える。作成部５２で作成された施設利用費データは、ドライブ装置２２により記録メディア３０に記憶されるようにしてある。
【００３６】
本実施形態によれば、ユーザ（旅行者）は、電子アルバムを得ると同時に、交通費以外に施設利用費の情報を簡単に得ることができ、したがって旅行に伴って発生した主要な費用の情報を簡単に得ることができる。
【００３７】
大規模な施設（例えば、遊園地）の場合、電子アルバム作成者（通常、旅行者本人）に施設料金を手入力させる代わりに、電子アルバムシステムに施設利用費データベースを設け、旅行者（携帯端末４）の位置情報および時刻情報に基づいて自動的に施設利用費（例えば、入場料）を算出するようにしてもよい。但し、この場合、電子アルバム作成者にモニタ２６などを介して算出した施設利用費を確認させるのが好ましい。
【００３８】
実施の形態３
上記実施形態では、画像データに撮像時刻を対応付けるようにしたが（例えば、デジタルカメラのＥｘｉｆ情報に撮像時刻を含ませる）、旅行者が撮像した画像データに必ずしも撮像時刻情報が対応付けされるとは限らない。そこで、本実施形態では、電子アルバム作成システムのドライブ装置に挿入された記録メディアから読み取った画像データに時刻が対応付けられていない場合、アルバム作成者（通常、旅行者本人）に時刻の対応付けを促すようにしてある。
【００３９】
具体的に、図９を参照して、本実施形態に係るアルバム作成システムの制御部２０Ｂは、制御部２０の構成要素に加えて、ドライブ装置２２により記録メディア１２から読み出された画像データに撮像時刻が対応付けされているか否かを判定する判定部６０を備える。対応付け判定部６０によりある画像データに関して対応付けがされていないと判定されると、表示制御部２８Ｂは、モニタ２６に対応する画像とともに撮像時刻の入力を促すような画面（図示せず）を表示させるようにしてある。電子アルバム作成者が入力部２４を介して対応付けを行うと、画像データと撮像時刻との対応関係を表すデータは、制御部２０Ｂに接続された対応関係記憶部６２（図１０）に記憶されるようにしてある。電子アルバム作成部３４は、移動経路記憶部３３に記憶された移動経路データ（これは、各旅行者位置（座標）および時刻と、旅行者位置の時系列的情報とを含む。）と、対応関係記憶部６２に記憶された対応関係データと、記録メディア１２に記憶された画像データ（すなわち、撮像時刻が対応付けられてない画像データおよび撮像時刻が対応付けられた画像データ）とに基づいて、画像データと移動経路データが対応付けられた電子アルバムを作成する。
【００４０】
本実施形態によれば、画像データに撮像時刻が付加されていないものが含まれていても、該画像データを電子アルバムに含めることができる。
【００４１】
電子アルバム作成者は撮像時刻を入力する代わりに、撮像を行った位置の情報を入力するようにしてもよい。この場合、撮像位置と対応付けられた画像データを、各旅行者位置（座標）を含む移動経路データと対応付けることができる。
【００４２】
実施の形態４
実施の形態３では、画像データに撮像時刻が対応付けされているか否かを判定するようにしたが、撮像時刻が対応付けされていなくても撮像位置が対応付けられていれば、画像データを移動経路データと対応付けることは可能である。そこで、本実施形態では、画像データに撮像時刻と撮像位置の両方とも対応付けられていない場合に、電子アルバム作成者に対応付けを行わせる。
【００４３】
具体的な構成は、図９、１０に示す実施の形態３と同様で、電子アルバム作成システムのドライブ装置２２（取得部）により記録メディアから読み出された画像データ（請求項の第２の画像データに対応）に撮像時刻および撮像位置の少なくとも一方が対応付けられているか否かを対応付け判定部６０に判定させ、撮像時刻および撮像位置ともに対応付けがされていなければ、アルバム作成者（通常、旅行者本人）に撮像時刻および撮像位置の少なくとも一方の対応付けを促す画面をモニタ２６に表示させる。そして、電子アルバム作成者に入力部２４を介して対応付けを行わせて、画像データと撮像時刻および撮像位置の少なくとも一方との対応関係を表すデータを、対応関係記憶部６２に記憶させる。電子アルバム作成部３４は、移動経路記憶部３３に記憶された移動経路データ（これは、各旅行者位置（座標）および時刻と、旅行者位置の時系列的情報とを含む。）と、対応関係記憶部６２に記憶された対応関係データと、記録メディア１２に記憶された画像データ（撮像時刻、撮像位置ともに対応付けられてない画像データおよび撮像位置、撮像時刻の少なくとも一方が対応付けられた画像データ）とに基づいて、画像データと移動経路データが対応付けられた電子アルバムを作成する。
【００４４】
以上、本発明の具体的実施形態について説明したが、本発明はこれらに限らず種々改変可能である。例えば、制御部２０は、地図データおよび交通料金データをコンピュータ２内に設けた地図データベース３８および交通料金データベース４４から取得したが、地図データベースおよび／または交通料金データベースをコンピュータ２の外部に設けてもよい。
【００４５】
また、旅行者位置情報（ユーザ位置情報）および画像データは、可搬型の記録メディア１２を用いる代わりに、有線または無線で電子アルバム作成システム２に送信するようにしてもよい。この場合、旅行者位置情報および画像データの受信部が、時刻を対応付けた旅行者の位置情報、並びに、撮像時刻または撮像位置を対応付けた複数の画像データを取得する取得部を構成する。作成した電子アルバムを記録メディア３０に記録する代わりに、電子アルバムデータを有線または無線（例えば、インターネット）で外部の端末に送信するようにしてもよい。
【００４６】
さらに、電子アルバムの作成時、旅行者位置情報および画像データを記録メディア１２から読み出す代わりに、予め記録メディア１２から別の記憶部（例えばハードディスク）に保存し、該記憶部に記憶された画像データおよび旅行者位置情報を読み出すようにしてもよい。
【図面の簡単な説明】
【００４７】
【図１】本発明に係る電子アルバム作成システムの実施の形態１を含むシステムを示すブロック図。
【図２】図１の携帯端末のブロック図。
【図３】図１の電子アルバム作成システムのブロック図。
【図４】図３の制御部のブロック図。
【図５】（ａ）アルバム作成モードか旅費算出モードのいずれかを選択させるためのモニタ画面。（ｂ）アルバム作成モード後に続けて旅費算出モードを実行するか否かを選択させるためのモニタ画面。（ｃ）旅費算出モードにおいて、ユーザ情報を入力させるためのモニタ画面。（ｄ）アルバム作成モード未選択の場合に、旅費算出モード後に続けてアルバム作成モードを実行するか否かを選択させるためのモニタ画面。
【図６】電子アルバムの一例を示す図。
【図７】本発明に係る電子アルバム作成システムの実施の形態２における制御部のブロック図。
【図８】本発明に係る実施の形態２の旅費算出モードにおいて、施設利用費を入力させるためのモニタ画面。
【図９】本発明に係る電子アルバム作成システムの実施の形態３における制御部のブロック図。
【図１０】本発明に係る電子アルバム作成システムの実施の形態３のブロック図。
【符号の説明】
【００４８】
２２  ドライブ装置（取得部）
【図１】
2006163664.tif 000003
【図２】
2006163664.tif 000004
【図３】
2006163664.tif 000005
【図４】
2006163664.tif 000006
【図５】
2006163664.tif 000007
【図６】
2006163664.tif 000008
【図７】
2006163664.tif 000009
【図８】
2006163664.tif 000010
【図９】
2006163664.tif 000011
【図１０】
2006163664.tif 000012